(57)【特許請求の範囲】
【請求項１】
便器に排泄される屎尿を固体分と液体分に分離する分離式トイレにおいて、
最小径に絞られる絞り部と、該絞り部の上部と連続的に形成され前記絞り部から上方に向けてラッパ状に広がる上方拡張部と、前記絞り部の下部と連続的に形成され前記絞り部から下方に向けてラッパ状に広がる下方拡張部とからなる排出管が、前記便器本体の底部に連続的に形成されており、
上方が開口させられているとともに前記下方拡張部を下方から覆う容器状の液体分受入部と、前記絞り部に対応する位置において前記液体分受入部から上方へ突出形成されて上下に貫通する筒状の固体分受入部と、を備えてなる固液分離器が、前記便器の直下に設けられており、
前記便器に排泄される屎尿の固体分は、前記絞り部から前記固体分受入部に直接落下させられ、前記便器に排泄される屎尿の液体分は、前記下方拡張部を伝って前記液体分受け入れ部に直接滴下するものであって、
前記便器と前記固液分離器とは、別個に形成され、切り離し可能に組み立てられていることを特徴とする分離式トイレ。
【請求項２】
請求項１に記載の分離式トイレにおいて、
前記排出管は、前記絞り部で上下分割された状態に形成して、各分割部分どうしを固着したものであることを特徴とする分離式トイレ。
【請求項３】
請求項１又は２に記載の分離式トイレにおいて、
前記固液分離器は、前記液体分受入部の底部をなす額縁形状の底板と、該底板の外周縁から上方に延びて前記液体分受入部の外周壁をなす直管状の大径筒状体と、前記底板の内周縁から上方に延びて前記液体分受入部の内周壁及び前記固体分受入部の外周壁をなす直管状の小径筒状体と、で形成されることを特徴とする分離式トイレ。
【請求項４】
請求項１乃至３のいずれかに記載の分離式トイレにおいて、
前記固体分受入部の直下に、前記固体分受入部から落下させられる固体分を受け入れる開口が形成される固体分処理部が設けられており、
前記開口は、落下させられる固体の重みにより回動開閉させられる蓋体で塞がれていることを特徴とする分離式トイレ。
【発明の詳細な説明】
【技術分野】
【０００１】
本発明は、便器の屎尿受面に排泄される屎尿を固体分と液体分に分離する分離式トイレに関する。
【背景技術】
【０００２】
従来、公園・工事現場等で使用される仮設トイレにおいて、便器に排泄される屎尿を固体分と液体分に分離して、それぞれ微生物で発酵・浄化処理して、固体分を肥料等に利用できるようにする一方、液体分を便器に流す洗浄水として利用できるようにする分離式トイレが提案されている（特許文献１及び特許文献２参照。）。
【０００３】
特許文献１に示される分離式トイレでは、便器３１の底部に設けられる排出口３１ａが下方に広がるように形成されている。便器３１に排泄される屎尿の液体分は、排出口３１ａの内壁面を伝って下端部から滴下し、さらに、排出口３１ａを下方から覆う第１の排便管３２、上下が円錐状に広がる第２の排便管３３、及び第２の排便管３３が内挿される円筒３４の内壁面を伝って、円筒３４の下端に形成される円錐状の排出口３４ａから小便受け容器３５を介して浄化槽１１に導かれる。一方、屎尿の固体分は、排出口３１ａから落下させられ、第１の排便管３２、第２の排便管３３及びこれらに続く第３の排便管３４を通過して発酵槽３に導かれる。
【０００４】
また、特許文献２に示される分離式トイレでは、便器２から下方に延びる排出管と、その排出口２ａに連結される有底筒状体の小便受け容器４とが備えられており、小便受け容器４の底部中央には、排便管５が貫通形成されている。そして、便器２に排泄される屎尿の液体分は、便器の排出管及び小便受け容器４の内壁面を伝って、小便受け容器４の底部に溜められた後、小便処理槽７へ導かれる。一方、屎尿の固体分は、便器２から排出管、小便受け容器４を通過して、排便管５から大便処理槽６へ落下させられる。
【０００５】
上記のような分離式トイレによれば、屎尿を固体分と液体分に分離してから発酵・浄化処理を行うために効率的な処理が可能となり、しかも液体分を洗浄水として循環使用するので、環境保全に顕著な効果を発揮する。
【特許文献１】特許第３０５５７７３号公報
【特許文献２】特許第３５３４７３２号公報
【発明の開示】
【発明が解決しようとする課題】
【０００６】
しかしながら、上記特許文献１及び２に記載の分離式トイレでは、いずれも便器から屎尿の固体分を落下させる発酵槽３や大便処理槽６までの距離が長いために、トイレ設置面（地面・床面等）から便器までの高さが大きくならざるを得ない。その結果として、トイレが大型化し、運搬・設置コストの増大を招いていた。特に、ベッドの傍らにおいて使用する介護用トイレとして考えた場合には、床面から便座までの高さを、介護対象者に最適とされる３８ｃｍ前後に収まらないために採用することができなかった。
【０００７】
また、用便時に使用したトイレットペーパーを捨てる場合、便器から発酵槽（大便処理槽）までの間に設けられる配管に付着することが考えられるが、上記特許文献１及び２に記載の分離式トイレでは、配管が長いために、上（便器側）からは手や掃除具が届きにくく除去することが難しい。かかる場合には、配管に付着したトイレットペーパーを洗浄水で洗い流すしかないが、トイレットペーパーは、配管を伝うように流されて小便受け容器内に流れ込み、小便受け容器から浄化槽（小便処理槽）に向かう配管を詰まらせる等のおそれがある。
【０００８】
小便受け容器からの配管を詰まらせてしまった場合には、小便受け容器を直接清掃して詰まったものを除去することになるが、上記特許文献１に記載の分離式トイレでは、小便受け容器３５を露出させるために、便器３１、第１の排便管３２、第２の排便管３３及び円筒３４のすべてを取り外すという大がかりな作業が必要となる。また、上記特許文献２に記載の分離式トイレでは、便器２を取り外しても、小便受け容器４の上部の径が小さく絞られているために排便管５との隙間が狭く、小便受け容器４の底部には、やはり手や掃除具が届かず、清掃困難であるという問題がある。
【０００９】
さらに、上記特許文献１及び２に記載のトイレでは、小便受け容器と、その中央部を上下に貫通する排便管と、を別個に形成して組み立てる構造であり、その継ぎ目をシールしたり、そのシール性を検査したりする必要があるために製造コストが高く、また、経年劣化等によって継ぎ目から液洩れするおそれもある。その他、上記特許文献１において、排出口３１ａは、便器３１の本体との接続部分がくびれており、また、上記特許文献２において、小便受け容器４は、その上部がくびれたツボ状に形成されているため、簡単な成形型では製作することができず、その点からも製造コストが高くなる。
【００１０】
本願発明は、上記のような事情に鑑みて、トイレ設置面から便器までの高さを低く抑えることができ、トイレットペーパーが便器の下方に設けられる配管に付着した場合でも容易に取り除くことができ、製造コストが低く抑えられる分離式トイレを提供する。
【課題を解決するための手段】
【００１１】
請求項１の発明は、便器に排泄される屎尿を固体分と液体分に分離する分離式トイレにおいて、最小径に絞られる絞り部と、該絞り部の上部と連続的に形成され前記絞り部から上方に向けてラッパ状に広がる上方拡張部と、前記絞り部の下部と連続的に形成され前記絞り部から下方に向けてラッパ状に広がる下方拡張部とからなる排出管が、前記便器本体の底部に連続的に形成されており、上方が開口させられているとともに前記下方拡張部を下方から覆う容器状の液体分受入部と、前記絞り部に対応する位置において前記液体分受入部から上方へ突出形成されて上下に貫通する筒状の固体分受入部と、を備えてなる固液分離器が、前記便器の直下に設けられており、前記便器に排泄される屎尿の固体分は、前記絞り部から前記固体分受入部に直接落下させられ、前記便器に排泄される屎尿の液体分は、前記下方拡張部を伝って前記液体分受け入れ部に直接滴下するものであって、前記便器と前記固液分離器とは、別個に形成され、切り離し可能に組み立てられていることを特徴とする分離式トイレを提供する。
【００１２】
請求項２の発明は、請求項１に記載の分離式トイレにおいて、前記排出管は、前記絞り部で上下分割された状態に形成して、各分割部分どうしを固着したものであることを特徴とする分離式トイレを提供する。
【００１３】
請求項３の発明は、請求項１又は２に記載の分離式トイレにおいて、前記固液分離器は、前記液体分受入部の底部をなす額縁形状の底板と、該底板の外周縁から上方に延びて前記液体分受入部の外周壁をなす直管状の大径筒状体と、前記底板の内周縁から上方に延びて前記液体分受入部の内周壁及び前記固体分受入部の外周壁をなす直管状の小径筒状体と、で形成されることを特徴とする分離式トイレを提供する。
【００１４】
請求項４の発明は、請求項１乃至３のいずれかに記載の分離式トイレにおいて、前記固体分受入部の直下に、前記固体分受入部から落下させられる固体分を受け入れる開口が形成される固体分処理部が設けられており、前記開口は、落下させられる固体の重みにより回動開閉させられる蓋体で塞がれていることを特徴とする分離式トイレを提供する。
【発明の効果】
【００１５】
請求項１に記載の分離式トイレによれば、以下の優れた効果を奏する。屎尿を分離する排出管を便器の底部に連続的に形成するとともに、その直下に、分離された液体分と固体分を直接受け入れる固液分離器を設けたので、便器から固液分離器及びその下方に配設されるべき発酵・浄化処理槽までの高さ方向寸法を小さく抑えることができる。その結果として、トイレの大型化による運搬・設置コストの増大を防止することができ、介護用トイレとしての利用も可能となるものである。
【００１６】
また、便器の直下に固体分受入部が配置されているので、用便時に使用したトイレットペーパーが便器から落下させられる途中で配管の内壁面に付着しても、手が届きやすく容易に除去できるものである。さらに、排出管は、絞り部の上下に連続的に形成されてラッパ状に広がる上方拡張部と下方拡張部からなり、便器の底部と連続的に形成されているので、便器に排泄された屎尿に含まれる液体分は、排出管の内壁面を確実に伝うこととなり、固液分離が効率的に行われる。
【００１７】
さらに、便器を取り外すことにより、その直下に設けられる液体分受入部を露出させて清掃することができるので、例えば、液体分受入部にトイレットペーパーが詰まるような事態が生じたとしても、容易に対応することができるものである。
【００１８】
請求項２に記載の分離式トイレによれば、請求項１に記載の分離式トイレが奏する効果に加えて、以下の優れた効果を奏する。排出管は、絞り部で上下に分割形成したものを固着して形成するので、容易に製作することができるものである。
【００１９】
請求項３に記載の分離式トイレによれば、請求項１又は２に記載の分離式トイレが奏する効果に加えて、以下の優れた効果を奏する。固液分離器は、額縁形状の底板と、その外周縁及び内周縁から延びる直管状の筒状体とで形成されるので、単純な上下分割型を使用して容易に一体成形できるものである。また、一体成形することにより、液体分受入部には、継ぎ目がないため、組み立て時にシール加工する手間が不要で、また経年劣化による液洩れを心配しなくて済むものである。
【００２０】
請求項４に記載の分離式トイレによれば、請求項１乃至３のいずれかに記載の分離式トイレが奏する効果に加えて、以下の優れた効果を奏する。固体分処理部の開口が、蓋体で塞がれているので、臭いが少なく済むものである。また、蓋体は、落下させられる固体の重みにより回動開閉するので、用便後に閉め忘れ等をする心配がない。
【発明を実施するための最良の形態】
【００２１】
以下、本発明の実施の形態を、添付図面を参照しながら説明する。
【００２２】
図１〜図５は発明を実施する形態の一例を示す。図１は、本実施形態に係る分離式トイレの概要を示すブロック図である。図２は、分離式トイレの便器を示す平面図である。図３は、図２のＸ−Ｘ断面に相当し、便器と、その下方に設けられる固液分離器及び固体分受入部を表した図である。図４は、便器の底部に形成される排出管の製作方法を説明する図である。図５は、固液分離器の構造及び製作方法を説明する図である。なお、図１及び図３において、便器が宙に浮いたような状態で描かれているが、実際は図示しない支持台や固定具等によって支持固定されている。また、固液分離器がむき出しの状態に描かれているが、実際は図示しない側部カバー等により、使用時に外部から見えないように覆われているものである。
【００２３】
〔分離式トイレ１〕  
本発明の実施形態である分離式トイレ１は、便器に排泄される屎尿を固体分と液体分に分離して、液体分を浄化処理して便器内の汚れを除去するための洗浄水とする一方、固体分を発酵処理して炭酸ガスと水に分解するものである。分離式トイレ１は、図１に示されるように、主として、排泄される屎尿を受けて固体分と液体分に分離した状態で排出する便器２と、便器２の直ぐ下に設けられて分離された固体分と液体分とを別々に受け入れる固液分離器３と、固液分離器３の直ぐ下に設けられて屎尿の固体分が落下させられる固体分処理部４と、屎尿の液体分が導かれる液体分処理部５と、液体分処理部５における浄化処理により得られた洗浄水を溜める洗浄水槽６と、からなる。なお、Ｐ１は、液体分処理部５から洗浄水槽６へ洗浄水を送るためのポンプであり、Ｐ２は、洗浄水槽６に溜められた洗浄水を便器２内へ噴出させるためのポンプである。
【００２４】
〔便器２〕
便器２は、合成樹脂で形成される洋式便器であって、図２及び図３で示されるように、屎尿受面となる内面２１ａが椀状に形成されて便器本体をなす本体部２１と、その上縁部２１ｂの全周に亘って一体的に形成されるリム部２２と、上縁部２１ｂに沿うように配索されるパイプ状の洗浄水噴出部２３，２４と、底部２１ｃの下方に連続的に形成される排出管２５と、で構成される。洗浄水噴出部２３，２４は、ともに本体部２１の前後方向の後ろ側（図２における下側）から前方に向けて延びているが、洗浄水噴出部２４が、先端２４ａをＵターンするように折り曲げられているので、洗浄水噴出部２３,２４は同じ時計回り方向に洗浄水を噴出するようになっている。
【００２５】
リム部２２は、便座２６（図３に一点鎖線で示す。）を支持する支持台とするほかに、洗浄水噴出部２３,２４から噴出する洗浄水が便器２から外へ飛び出さないように上方から覆う防水壁とするため、本体部２１の上縁部２１ｂにおいて、内面２１ａ側へ突出するように形成される。洗浄水噴出部２３,２４は、ポンプＰ２の作動により、洗浄水槽６に溜められた洗浄水を上縁部２１ｂから便器２の周方向に沿うように噴出させて、洗浄水を内面２１ａに沿う時計回り方向の渦巻流（図２及び図３において二点鎖線の矢印で示す。）を形成する。便器の周方向の複数箇所に設けられる洗浄水噴出部からの流れを組み合わせることにより、便器内を万遍無く、強力に洗浄することができるものである。
【００２６】
〔排出管２５〕
排出管２５は、図３に示されるように、本体部２１の底部２１ｃに一体的に設けられており、上下方向で最も小径に絞られる絞り部２５ａと、絞り部２５ａの上部と連続的に形成される上方拡張部２５ｂと、絞り部２５ａの下部と連続的に形成される下方拡張部２５ｃとからなる。上方拡張部２５ｂは、絞り部２５ａから上方に向けてラッパ状に広がるように形成され、下方拡張部２５ｃは、絞り部２５ａから下方に向けてラッパ状に形成されており、上方拡張部２５ｂと底部２１ｃの内面は連続的に段差なく形成されている。
【００２７】
上記のとおりであるから、便器２の内面２１ａに排泄された屎尿のうち、液体分は、底部２１ｃから、上方拡張部２５ｂ、絞り部２５ａ及び下方拡張部２５ｃの湾曲状の内壁面を確実に伝うように流れ、排出管２５の下縁部から下方に滴り落ち、固体分は、絞り部２５ａを通過する際に位置規制された後、そのまま下方へ直線的に落下させられる。したがって、後述するように、便器２の排出管２５の下方に、下方拡張部２５ｃの下縁部から直接滴下する液体分を受け入れる液体分受入部３１と、絞り部２５ａから直接落下する固体分を受け入れる固体分受入部３２とを備える固液分離器３を設けることにより、液体分と固体分を分離して回収することができる。
【００２８】
排出管２５からは、洗浄水噴出部２３,２４から噴出される洗浄水も屎尿とともに排出されることとなるが、上縁部２１ｂから便器の周方向に沿うように噴出させられて渦巻流を形成するので、その遠心力の作用により、排出管２５の内面を確実に伝わされることとなり、単に上から下へ流す場合に比べて、固液分離が一層効率的に行われる。
【００２９】
排出管２５は、製造工程において初めから一体形成されるものではなく、絞り部２５ａで上下分割された状態で形成される。具体的には、図４に示されるように、便器の本体部２１の底部と、絞り部２５ａで上下分割された排出管２５の上管部２５１を一体で形成し、上下分割された排出管２５の下管部２５２を単独で形成した後、上管部２５１と下管部２５２の各分割部分を接着剤等で固着することにより一体化するものである。これにより、初めから一体成形する場合に比べて、成形型の構造が単純化され、容易に製作することができるものである。なお、上管部２５１の下端面２５１ａと、下管部２５２の上端面２５２ａには、相互に位置決めするための嵌合段差２５１ｂ，２５２ｂが形成されている。
【００３０】
〔固液分離器３〕
固液分離器３は、上述した便器２とは、別個に合成樹脂で形成されて、便器２とは相互に切り離し可能に設けられており、図３に示されるように、上方が全面的に開口させられるとともに下方拡張部２５ｃを下方から覆う容器状の液体分受入部３１と、液体分受入部３１の底部３１ａの上面側であって上方の絞り部２５ａに対応する位置に突出形成される筒状の固体分受入部３２と、を備えてなる。さらに詳しく述べると、固液分離器３は、図５（ａ）に示されるように、液体分受入部３１の底部３１ａをなす額縁形状の底板と、その底板の外周縁から上方に延びて液体分受入部３１の外周壁３１ｂをなす直管状の大径筒状体と、上記底板の内周縁から上方に延びて液体分受入部３１の内周壁３１ｃ及び固体分受入部３２の外周壁３２ａをなす直管状の小径筒状体と、を一体的に形成してなる。底部３１ａには、液体分排出口３１ｄが設けられているが、これも直管状に形成されており、液体分処理部５との配管接続をし易くするために下方側に突出させられている。
【００３１】
固液分離器３は、上記のような構造を採用したため、いわゆるアンダカットが無く、図５（ｂ）に示されるように、スライドコア等を有しない単純構造の上型７１及び下型７２からなる上下分割型７で容易に成形することができるものである。また、液体分受入部３１と固体分受入部３２を一体成形することにより、これらの間には継ぎ目が生じないため、組み立て時に液体分受入部３１から液洩れしないようにするためのシール加工やシール不良をチェックするための検査が不要となり、製作コストを低減できるうえ、経年劣化等による液洩れを心配しなくて済むものである。
【００３２】
また、上方に設けられる便器２は、固液分離器３とは切り離し可能であるので、便器２を取り外すことにより、液体分受入部３１を露出させて清掃することができるものである。したがって、例えば、液体分受入部３１にトイレットペーパー等が詰まることがあっても、便器２を取り外して容易に取り除くことができるものである。さらに、液体分受入部３１は、上述したように外周壁３１ｂ及び内周壁３１ｃが真直ぐ上方に延びるため、上方の開口から底面３１ａ全体を直視することができ、清掃作業を容易に行うことができるものである。
【００３３】
液体分受入部３１は、上方が開口させられるとともに下方拡張部２５ｃを下方から覆うように設けられているので、下方拡張部２５ｃの下縁部から滴下する液体分を直接受け入れる一方、底部３１ａに液体分排出口３１ｄが形成されているので、一旦溜められた液体分を液体分排出口３１ｄから下方に配設される液体分処理部５へ導くことができる。また、固体分受入部３２は、絞り部２５ａから落下してくる固体分を直接、下方に配設される固体分処理部４の開口４ａへ導くことができるものである。なお、便器から落下してくる固体分を、固体分受入部３２で確実に受け入れるため、その内径は、絞り部２５ａの内径よりも大きく設定されている。
【００３４】
〔固体分処理部４〕
固体分処理部４は、屎尿から分離された固体分を発酵処理するための微生物が常在するとともに、固体分に含まれる水分を吸収するオガ屑及び杉チップが入れられた発酵処理槽であって、図３に示されるように、その内部には攪拌用スクリュー４１が支持されている。攪拌用スクリュー４１は、外部に設けられるモーターＭにより回転させられることにより、固体分とオガ屑を交ぜ合わせる一方、その混合物内部に微生物の活動に必要な空気を含ませて発酵処理を促す。固体分は、発酵処理されて水と炭酸ガスに分解される。
【００３５】
固体分処理部４の上面には、固体分受入部３２に対応するように形成されて、固体分受入部３２から落下させられてくる固体分を受け入れる開口４ａが形成されている。開口４ａは、その周縁部に設けられる回動支持軸４２ａで回動支持される蓋体４２により閉鎖される。蓋体４２は、回動支持軸４２ａ回りに取り付けられている図示しないバネによって開口４ａを閉鎖した状態（図３中に実線で示す状態）に保持されるが、固体分受入部３２から固体分が落下させられたときに、その重みによって開放状態（図３中の一点鎖線で示す状態）となり、固体分が固体分処理部４内に落下して重みが解除されると再び閉鎖するようになっている。
【００３６】
したがって、固体分処理部４に落下させられた屎尿の固体分による臭いは、固体分処理部４内に閉じ込められることになり、トイレ外部に洩れる臭いが少なく済むものである。また、蓋体４２は、固体分の重みにより自動的に回動開閉させられるので、用便後の閉め忘れ等をする心配がないものである。
【００３７】
〔液体分処理部５〕
液体分処理部５は、屎尿から分離された液体分を浄化処理する微生物が常在する浄化処理槽であって、液体分に含まれる有機物を分解除去できるように構成されている。浄化された液体分は、便器２内に付着した汚物を洗浄する洗浄水として使用される。
【００３８】
〔洗浄水槽６〕
洗浄水槽６は、途中にポンプＰ１が配設される配管で液体分処理部５と接続されており、液体分処理部５で浄化された液体分をポンプＰ１で汲み上げて、洗浄水として溜めておく液体タンクである。洗浄水槽６に溜められた洗浄水は、ポンプＰ２を作動させることによって、上述したように、洗浄水噴出部２３，２４から便器の周方向に沿うように勢いよく噴出させられる。
【００３９】
〔分離式トイレ１の特徴点〕
本実施形態に係る分離式トイレでは、屎尿を分離する排出管２５を便器の本体部２１の底部２１ｃに一体的に設けて、その直ぐ下に固液分離器３を設けたので、便器２から固液分離器３の下方に配設される固体分処理部４及び液体分処理部５に至るまでの高さ方向寸法を小さく抑えることができる。したがって、分離式トイレでありながら、上下方向寸法をコンパクトに構成することができ、その結果、運搬・設置コストを抑えたり、介護用トイレとして利用したりすることが容易となるものである。
【００４０】
また、便器の本体部２１から固体分処理部４の開口４ａまでの配管距離が短いために、便器に捨てたトイレットペーパーが固体分処理部４に至るまでの途中配管に付着するようなことが少なく、たとえ付着しても、手や掃除具が届き易いために容易に除去することができるものである。
【００４１】
〔上記実施形態の変形例〕
上記実施形態では、運搬・設置の作業性を確保するため、分離式トイレを軽量に構成すべく便器２や固体分離器３を合成樹脂で形成することとしたが、これに限らず、陶器、金属等、他の材料で形成するようにしても良い。もちろん、便器２の本体部２１及び上管部２５１を合成樹脂で成形し、下管部２５２のみを金属で形成する等、異種材料を組み合わせて使用しても良い。
【００４２】
上記実施形態では、洗浄水噴出部２３，２４から洗浄水を勢いよく噴出させるためにポンプＰ２を使用したが、洗浄水槽６の位置を高くすることができれば、ポンプを使用せずに重力のみで自然に噴出させるようにしても良い。また、洗浄水噴出部は、必ず複数個所に設けなければならないものではなく、１箇所だけに設けるようにしても良い。
【００４３】
上記実施形態では、固液分離器３の固体分受入部３２は、液体分受入部３１の底部３１ａから上面側にのみ突出させるようにしたが、さらに下面側に突出させるようにしても良い。また、液体分受入部３１の底部３１ａは、円形としたが、四角形その他の形状を採用しても良い。
【００４４】
その他、本発明は、上記した実施形態に限定されるものではなく、発明の要旨を逸脱しない範囲において適宜変更を加え得ることができるものである。
【図面の簡単な説明】
【００４５】
【図１】本発明の実施の形態に係る分離式トイレの概要を示すブロック図。
【図２】分離式トイレの便器回りのみを示す平面図。
【図３】図２のＸ−Ｘ断面に相当する図。
【図４】便器の製作方法を説明する図。
【図５】固液分離器の構造及び製作方法を説明する図。
【符号の説明】
【００４６】
１    分離式トイレ
２    便器
３    固液分離器
４    固体分処理部
４ａ    開口
５    液体分処理部
６    洗浄水槽
２１    本体部
２１ａ    内面
２１ｂ    上縁部
２１ｃ    底部
２２    リム部
２３，２４    洗浄水噴出部
２４ａ    先端
２５    排出管
２５ａ    絞り部
２５ｂ    上方拡張部
２５ｃ    下方拡張部
２５１    上管部
２５２    下管部
２６    便座
３１    液体分受入部
３１ａ    底部
３１ｂ    外周壁
３１ｃ    内周壁
３１ｄ    液体分排出口
３２    固体分受入部
３２ａ    外周壁
４１    攪拌用スクリュー
４２    蓋体
４２ａ    回動支持軸
Ｍ    モーター
Ｐ１    ポンプ
Ｐ２    ポンプ
【要約】
【課題】  トイレ設置面から便器までの高さを低く抑えることができ、トイレットペーパーが便器の下方に設けられる配管に付着した場合でも容易に取り除くことができる分離式トイレを提供する。
【解決手段】  最小径に絞られる絞り部と、絞り部から上方に向けてラッパ状に広がる上方拡張部と、下方に向けてラッパ状に広がる下方拡張部とからなる排出管が、便器本体の底部に一体的に設けられており、その直下に、容器状の液体分受入部と上下に貫通する筒状の固体分受入部とを備えてなる固液分離器が、便器の直下に設けられており、屎尿の固体分が絞り部から固体分受入部に直接落下させられ、液体分が下方拡張部を伝って液体分受け入れ部に直接滴下することを特徴とする。
【選択図】図１
【図１】
0003721377.tif 000002
【図２】
0003721377.tif 000003
【図３】
0003721377.tif 000004
【図４】
0003721377.tif 000005
【図５】
0003721377.tif 000006